【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
複数の処理の工程によってデータを処理するデータ処理装置であって、 
前記工程の進捗状況の遅れを監視する進捗状況監視手段と、 
前記進捗状況監視手段の監視の結果、前記進捗状況の遅れが予め設定されている進捗予定に対する許容範囲を超えたと判断された場合、前記工程において実行される処理の内容を変更して処理時間を短縮する処理内容変更手段と、
を備えることを特徴とするデータ処理装置。 
【請求項２】
前記複数の処理の工程が画像にかかる画像データを処理する工程を含み、 
前記進捗状況の遅れが予め設定されている進捗予定に対する許容範囲を超えたと判断された場合、前記処理内容変更手段は、画像データの処理に使用されるデータの数を減じて処理を実行することを特徴とする請求項１に記載のデータ処理装置。 
【請求項３】
前記複数の処理の工程が画像データの色を補間することによって変換する処理を含み、 
前記処理内容変更手段は、前記補間に用いられる色のデータ数を減じて処理を実行することを特徴とする請求項２に記載のデータ処理装置。 
【請求項４】
前記複数の処理の工程が画像にかかる画像データを処理する工程を含み、 
前記進捗状況の遅れが予め設定されている進捗予定に対する許容範囲を超えたと判断された場合、前記処理内容変更手段は、画像データを、該画像データの値にのみ応じて定められた所定の値に変換することを特徴とする請求項１に記載のデータ処理装置。 
【請求項５】
前記処理内容変更手段が画像データを所定の値に変換する場合、該所定の値に置換係数を加えてばらつきを持たせる置換係数付加手段を備えることを特徴とする請求項４に記載のデータ処理装置。 
【請求項６】
前記複数の処理の工程が画像データを２値化する２値化工程を含み、 
前記進捗状況の遅れが予め設定されている進捗予定に対する許容範囲を超えたと判断された場合、前記処理内容変更手段は、画像データを、先に実行された工程に使用されたディザマスクを使って２値化することを特徴とする請求項１から５のいずれか１項に記載のデータ処理装置。 
【請求項７】
前記工程に使用されるデータを保存する第１処理データ保存手段と、 
前記第１処理データ保存手段に保存されているデータを読み出すデータ読出手段と、 
前記データ読出手段によって読出されたデータを保存する第２処理データ保存手段と、を備え、 
前記データ読出手段は、一の工程に使用されるデータを読み出す際、他の工程に使用され得る他のデータをも読み出すことを特徴とする請求項１から６のいずれか１項に記載のデータ処理装置。 
【請求項８】
複数回の処理の工程によってデータを処理するデータ処理方法であって、 
前記工程の進捗状況を判断する進捗状況判断ステップと、 
前記進捗状況判断ステップにおいて判断された進捗状況の遅れを監視する進捗状況監視ステップと、 
前記進捗状況監視ステップにおける監視の結果、前記進捗状況の遅れが予め設定されている進捗予定に対する許容範囲を超えたと判断された場合、前記工程において実行される処理の内容を変更して処理時間を短縮する処理内容変更ステップと、
を含むことを特徴とするデータ処理方法。
【手続補正２】
【補正対象書類名】明細書
【補正対象項目名】０００８
【補正方法】変更
【補正の内容】
【０００８】
以上の課題を解決するため、本発明のデータ処理装置は、複数の処理の工程によってデータを処理するデータ処理装置であって、前記工程の進捗状況の遅れを監視する進捗状況監視手段と、前記進捗状況監視手段の監視の結果、前記進捗状況の遅れが予め設定されている進捗予定に対する許容範囲を超えたと判断された場合、前記工程において実行される処理の内容を変更する処理内容変更手段と、を備えることを特徴とする。 
【手続補正３】
【補正対象書類名】明細書
【補正対象項目名】０００９
【補正方法】変更
【補正の内容】
【０００９】
このような発明によれば、複数の処理の工程によってデータを処理するデータ処理装置において、工程の進捗状況の遅れを監視することができる。そして、進捗状況の遅れが予め設定されている進捗予定に対する許容範囲を超えた場合、工程において実行される処理の内容を変更して処理時間を短縮することができる。
このため、予め設定されている進捗予定に対する現状の進捗状況の遅れを取り返し、予め設定された時間内にデータの処理が可能なデータ処理装置を提供することができる。 
【手続補正４】
【補正対象書類名】明細書
【補正対象項目名】００１０
【補正方法】変更
【補正の内容】
【００１０】
また、処理を設定された時間内に終了できる本発明は、本来キャッシュのヒット、ミスヒットによって変わる処理時間が正確に予想できる。このため、処理に必要なバッファメモリの規模に大きなマージンをとる必要がなく、バッファメモリの大規模化を抑えることが可能なデータ処理装置を提供することができる。 
また、本発明のデータ処理装置は、前記複数の処理の工程が画像にかかる画像データを処理する工程を含み、前記進捗状況の遅れが予め設定されている進捗予定に対する許容範囲を超えたと判断された場合、前記処理内容変更手段は、画像データの処理に使用されるデータの数を減じて処理を実行することを特徴とする。 
【手続補正５】
【補正対象書類名】明細書
【補正対象項目名】００１１
【補正方法】変更
【補正の内容】
【００１１】
このような発明によれば、画像データ処理の演算にかかる時間が短縮され、ひいては画像処理全体の時間を短縮することができる。 
また、本発明は、前記複数の処理の工程が画像データの色を補間することによって変換する処理を含み、前記処理内容変更手段は、前記補間に用いられる色のデータ数を減じて処理を実行することを特徴とする。
【手続補正６】
【補正対象書類名】明細書
【補正対象項目名】００１２
【補正方法】変更
【補正の内容】
【００１２】
このような発明によれば、色補間に使用される例えば格子点のデータの数を減じることによって色変換のための演算にかかる時間が短縮され、ひいては画像処理全体の時間を短縮することができる。 
また、本発明のデータ処理装置は、前記複数の処理の工程が画像にかかる画像データを処理する工程を含み、前記進捗状況の遅れが予め設定されている進捗予定に対する許容範囲を超えたと判断された場合、前記処理内容変更手段は、画像データを、該画像データの値にのみ応じて定められた所定の値に変換することを特徴とする。 
【手続補正７】
【補正対象書類名】明細書
【補正対象項目名】００１４
【補正方法】変更
【補正の内容】
【００１４】
このような発明によれば、画像データの変更後の値に偏りが発生して画像品質が劣化することを防ぐことができる。 
また、本発明のデータ処理装置は、前記複数の処理の工程が画像データを２値化する２値化工程を含み、前記進捗状況の遅れが予め設定されている進捗予定に対する許容範囲を超えたと判断された場合、前記処理内容変更手段は、画像データを、先に実行された工程に使用されたディザマスクを使って２値化することを特徴とする。
【手続補正８】
【補正対象書類名】明細書
【補正対象項目名】００１５
【補正方法】変更
【補正の内容】
【００１５】
このような発明によれば、新たなディザマスクのデータを使用しないことによって処理に使用されるデータ数を減じ、また、読み出しのための処理を省いて画像処理時間を短縮することができる。 
また、本発明のデータ処理装置は、前記工程に使用されるデータを保存する第１処理データ保存手段と、前記第１処理データ保存手段に保存されているデータを読み出すデータ読出手段と、前記データ読出手段によって読出されたデータを保存する第２処理データ保存手段と、を備え、前記データ読出手段は、一の工程に使用されるデータを読み出す際、他の工程に使用され得る他のデータをも読み出すことを特徴とする。